(57)【要約】【課題】  画像形成装置に内蔵されたＨＤＤに保存されている情報を保護することができるハードディスクセキュリティシステムを提供する。【解決手段】  画像形成装置１本体とこの画像生成装置１に内蔵されているハードディスク２とを接続するＩＤＥ  Ｉ／Ｆ３の間にセキュリティＡＳＩＣ４を設けることによりハードディスク２のデータを保護することができる。【選択図】        図１
2006113915.tif 000002
【特許請求の範囲】
【請求項１】
画像形成装置本体と該画像生成装置に内蔵されているハードディスクとを接続するインターフェース間にセキュリティＡＳＩＣを設けるようにしたことを特徴とするハードディスクセキュリティシステム。
【請求項２】
請求項１に記載のハードディスクセキュリティシステムにおいて、前記インターフェースの端子状態を検知して前記ハードディスクの着脱を検知する着脱検知手段と、該着脱検知手段の検知情報を記憶する記憶手段と、を備えることを特徴とするハードディスクセキュリティシステム。
【請求項３】
請求項１に記載のハードディスクセキュリティシステムにおいて、前記ハードディスクが抜き取られた場合、前記検知情報として前記ハードディスクのデータを消去するデータ消去命令を記憶し、次に当該ハードディスクが起動される場合は、その内部データを消去することを特徴とするハードディスクセキュリティシステム。
【発明の詳細な説明】
【技術分野】
【０００１】
本発明は、プリンタ、コピー機器などの画像形成装置に内蔵されるハードディスクドライブ装置のハードディスクに保存されている情報を保護するハードディスクセキュリティシステムに関する。
【背景技術】
【０００２】
画像形成装置において、内蔵されているハードディスクドライブ（ＨＤＤ）のハードディスクに保存されている内容は画像形成装置の使用用途から考えて非常に重要な情報である可能性が高い。ＨＤＤを搭載しているような高性能画像形成装置は、企業内で日々の業務に使用されている場合が大多数である。
【発明の開示】
【発明が解決しようとする課題】
【０００３】
そのため、ＨＤＤのハードディスクに蓄積されるデータも企業秘密のものが多く、この情報が漏洩した場合企業にとって大きな痛手となる。昨今、企業が持つ個人情報の漏洩など大きくニュースで報道されており、画像形成装置においても情報漏洩に対して対策を打つ必要がある。
本発明は、画像形成装置に内蔵されたＨＤＤのハードディスクに保存されている情報を保護することができるハードディスクセキュリティシステムを提供することを目的とする。
【課題を解決するための手段】
【０００４】
上記目的を達成するために、請求項１記載の発明は、画像形成装置本体と該画像生成装置に内蔵されているハードディスクとを接続するインターフェース間にセキュリティＡＳＩＣを設けるようにしたハードディスクセキュリティシステムを主要な特徴とする。
請求項２記載の発明は、請求項１に記載のハードディスクセキュリティシステムにおいて、前記インターフェースの端子状態を検知して前記ハードディスクの着脱を検知する着脱検知手段と、該着脱検知手段の検知情報を記憶する記憶手段と、を備えるハードディスクセキュリティシステムを主要な特徴とする。
請求項３記載の発明は、請求項１に記載のハードディスクセキュリティシステムにおいて、前記ハードディスクが抜き取られた場合、前記検知情報として前記ハードディスクのデータを消去するデータ消去命令を記憶し、次に当該ハードディスクが起動される場合は、その内部データを消去するハードディスクセキュリティシステムを主要な特徴とする。
【発明の効果】
【０００５】
本発明によれば、画像形成装置本体と画像形成装置に内蔵するハードディスクとを接続するインターフェース間にセキュリティＡＳＩＣを設けることにより、内蔵するハードディスクのデータを保護することができる。
また、内蔵するハードディスクの着脱情報を記憶手段に保持し監視することによりハードディスク側の電源が落とされてもセキュリティ情報を保持することができる。
また、内蔵するハードディスクが抜き取られた場合、前記検知情報として前記ハードディスクのデータを消去するデータ消去命令を記憶しておき、次に当該ハードディスクが起動される場合は、その内部データを消去することにより、ハードディスクを持ち去られて情報が漏洩するのを防ぐことができる。
【発明を実施するための最良の形態】
【０００６】
以下、図面を参照して本発明の実施形態を詳細に説明する。
図１は本発明のハードディスクセキュリティシステムの実施形態である出力文書監視システムの基本構成を示した図である。
この図に示す画像形成装置１には、ハードディスクドライブ（ＨＤＤ）２のハードディスクが内蔵されており、装置本体と内蔵するＨＤＤ２を接続するＩＤＥ  Ｉ／Ｆ３との間にセキュリティ用のセキュリティ（Ｓｅｃｕｒｉｔｙ）ＡＳＩＣ４を設けるようにしている。
図２は本実施形態の出力文書監視システムの具体的構成図である。
図２に示す本実施形態の出力文書監視システムは、通常のＩＤＥ  Ｉ／Ｆ３を持つＨＤＤ２と異なり、ＨＤＤ２のＩＤＥ  Ｉ／Ｆ３前にセキュリティＩ／Ｆ５を持ち、セキュリティＡＳＩＣ４を接続するようにしている点に特徴がある。なお、符号６はバッテリ（Ｂａｔｔｅｒｙ）、７はフラッシュ（Ｆｌａｓｈ）ＲＯＭを示す。
このセキュリティＩ／Ｆ５は、図３に示すようにシリアルＩ／Ｆ、ＨＤＤアクセス許可を示すＲ／Ｗ  Ｓｉｇｎａｌ（Ｒ／Ｗ  Ｉ／Ｆ）、着脱検知Ｓｉｇｎａｌ（着脱検知Ｉ／Ｆ）で構成される。
ＨＤＤアクセスが無いときに、シリアルＩ／ＦにてセキュリティモードをセキュリティＩ／Ｆ５に設定する。設定内容は例えば図４に示すようになる。
着脱検知Ｉ／Ｆは、図５に示すようになっており、ＨＤＤ２の電源が落とされている場合、内蔵しているバッテリ６により着脱検知信号を監視しており、ケーブルが抜かれた際に検知情報がフラッシュＲＯＭ７に書き込まれる。
【０００７】
図４において、ＨＤＤ取り外し時にデータ消去を選択すると、着脱検知Ｉ／Ｆでケーブル取り外しを検知した場合、バッテリ６でフラッシュＲＯＭ７にＨＤＤデータ消去命令情報を記録しておき、次回ＨＤＤ起動時にセキュリティＡＳＩＣ４が自動的にハードディスクのデータ消去を実行する。
また、シリアルＩ／Ｆでモード設定をセキュリティＯＮにした場合、ＩＤＥ  Ｉ／Ｆ３に追加して何本かの信号でＲ／Ｗ制御をセキュリティＡＳＩＣ４に伝えてＲ／Ｗを実行する。例として図６に示すように、ＦｒａｍｅとＲ／Ｗ許可信号を使用する。これらの信号をＩＤＥ  Ｉ／Ｆ３とは別に持つことにより、他の機器へのＨＤＤ流用、他の機器を使用した情報の抽出を防ぐことができる。
【図面の簡単な説明】
【０００８】
【図１】本発明のハードディスクセキュリティシステムの基本構成図。
【図２】本発明ハードディスクセキュリティシステムの具体的構成図。
【図３】セキュリティＩ／Ｆの構成図。
【図４】シリアルデータによるセキュリティモード設定の内容を表で示す図。
【図５】着脱検知システムの構成図。
【図６】セキュリティＯＮ時のアクセス制御信号を示す図。
【符号の説明】
【０００９】
１  画像形成装置、２  ＨＤＤ、３  ＩＤＥ  Ｉ／Ｆ、４  セキュリティＡＳＩＣ
【図１】
2006113915.tif 000003
【図２】
2006113915.tif 000004
【図３】
2006113915.tif 000005
【図４】
2006113915.tif 000006
【図５】
2006113915.tif 000007
【図６】
2006113915.tif 000008